(57)【特許請求の範囲】
【請求項１】
冷蔵庫であって、
貯蔵室を備えるインナーケースと、
前記インナーケースの上面をカバーするミドルプレートを備えるキャビネットと、
前記キャビネットの前方に備えられ、前記貯蔵室を開閉するドアと、を備えてなり、
前記キャビネットは、前記キャビネットの上面をカバーするように、前記ミドルプレートの上側に着脱可能に結合され、複数の原木を並列に配列した状態で接着した集成材からなったキャビネットカバーを備え、
前記キャビネットカバーの底面には、棒(bar)状の金属材質の補強ブラケットが並列に複数結合され、
前記キャビネットカバーの底面には、内側に凹む装着溝が形成され、
前記補強ブラケットは、前記装着溝に挿入され、
前記キャビネットカバーの底面には、前記ミドルプレートに固定される複数のカバー固定部が形成され、
前記ミドルプレートには、前記カバー固定部が固定されるカバー固定ホールが形成され、
前記カバー固定部は、
一側が前記キャビネットカバーの底面と接触し、他側が前記キャビネットカバーの下側に突出する円筒状の第１部分と、
前記第１部分の他側に一体形成され、前記第１部分より大きい直径を有する円筒状の第２部分を備えてなり、
前記カバー固定ホールは、
前記カバー固定部の第２部分の大きさと同一又はより大きく形成された第１ホールと、
前記第１ホールから延長され、前記第２部分の大きさより小さく、前記第１部分の大きさと同一又はより大きく形成された第２ホールと、を備えてなることを特徴とする、冷蔵庫。
【請求項２】
前記装着溝の長さは、前記補強ブラケットの長さより長く形成されたことを特徴とする、請求項１に記載の冷蔵庫。
【請求項３】
前記補強ブラケットは、前記集成材の配列方向に並ぶように形成されたことを特徴とする、請求項１に記載の冷蔵庫。
【請求項４】
前記補強ブラケットは、前記キャビネットカバーの底面と並ぶ面に前記補強ブラケットの長さ方向に並ぶように長孔が形成されたことを特徴とする、請求項１に記載の冷蔵庫。
【請求項５】
前記キャビネットカバーは、底面に内側に凹状に形成されたスリット溝が並列に複数形成されたことを特徴とする、請求項１に記載の冷蔵庫。
【請求項６】
前記スリット溝は、前記補強ブラケットと交差する方向に形成されたことを特徴とする、請求項５に記載の冷蔵庫。
【請求項７】
前記キャビネットカバーの底面には、前記第１部分の一側が収容される凹溝が形成されたことを特徴とする、請求項１に記載の冷蔵庫。
【請求項８】
前記カバー固定部は、前記カバー固定部とキャビネットカバーを貫通する取付部材によって前記キャビネットカバーに固定されることを特徴とする、請求項１に記載の冷蔵庫。
【発明の詳細な説明】
【技術分野】
【０００１】
本発明は、冷蔵庫に関するものである。
【背景技術】
【０００２】
一般的に、冷蔵庫は、キャビネットに備えられた貯蔵室に食べ物のような対象物を低温で貯蔵できる家電機器である。前記貯蔵室は、断熱壁で取囲まれるので、前記貯蔵室の内部は外部温度より低い温度となるように維持される。
【０００３】
前記貯蔵室の温度帯域によって、前記貯蔵室は、冷蔵室または冷凍室に区分することができる。そして、食べ物の種類や状態によって食べ物を冷蔵室または冷凍室に保管することができる。
前記冷蔵庫は、台所に他の家電機器と一緒にビルトインタイプで提供される。この場合、台所の家具と調和をなすように前記冷蔵庫の外観が設計されている。
また、最近では、使用者の多様な要求に応じて、冷蔵庫を台所ではなく居間や部屋に置いて使用する等冷蔵庫の設置位置が多様化している。
前記冷蔵庫の設置位置が多様化することで、前記冷蔵庫の外観が前記冷蔵庫が設置される空間の家具と調和をなすように前記冷蔵庫の外観が設計されている。
先行文献である韓国登録特許公報第１０‐１３２３８７６号には、熱電素子を備えた冷却パッケージング及びそれを採用した冷蔵庫が開示される。
【０００４】
先行文献の冷蔵庫は、冷蔵室が形成される冷蔵庫本体と、冷蔵庫本体に回動可能に設置され、冷蔵室を開閉するためのドアと、本体結合孔に結合され、熱電素子を備える冷却パッケージングと、冷蔵室の内部で冷却パッケージングの先端と結合される吸熱ユニットと、冷蔵庫本体の後方側で冷却パッケージングの後端と結合される放熱ユニットと、冷蔵室から発生する凝縮水を毛細管現象を利用して前記放熱ユニットに排水させる排水管を含む。
このような先行文献の場合、熱電素子を備える冷却パッケージングを使用する場合、冷蔵庫のサイズを減らすことができる長所がある。
【０００５】
しかし、先行文献の場合、単純に冷蔵庫のサイズを減らせるだけで、冷蔵庫の外観の変化はないので、冷蔵庫を台所以外の居間や寝室内に位置する場合、周辺の構造物と調和をとれない問題がある。
【０００６】
また、冷蔵庫の豪華なデザインを具現するために、冷蔵庫の外形(特に、上板)を原木材質で形成する場合、時間が過ぎると共に、収縮、歪み等の変形が発生する問題がある。
【発明の概要】
【発明が解決しようとする課題】
【０００７】
本発明の課題は、ウッド材質のキャビネットカバーがキャビネットの上面外観を形成できる冷蔵庫を提供することにある。
【０００８】
また、本発明の課題は、キャビネットの上面外観を形成するキャビネットカバーの収縮及び歪み等の変形を最大限予防できる冷蔵庫を提供することにある。
【０００９】
また、本発明の課題は、必要に応じて冷蔵庫の上面外観を形成するキャビネットカバーをキャビネットから容易に分離し、交換できる冷蔵庫を提供することにある。
【００１０】
また、本発明の課題は、キャビネットの上面外観を形成するキャビネットカバーの重量を減らし、使用者の便宜性を向上させることができる冷蔵庫を提供することにある。
【００１１】
また、本発明の課題は、キャビネットの上面外観を形成するキャビネットカバーの厚さを最小限に減らすことができる冷蔵庫を提供することにある。
【００１２】
また、本発明の課題は、キャビネットの上面外観を形成するキャビネットカバーの左右方向変形は勿論、前後方向の変形も予防できる冷蔵庫を提供することにある。
【００１３】
また、本発明の課題は、キャビネットの上面外観を形成するキャビネットカバーの変形時、補強ブラケットの変形及び分離を予防できる冷蔵庫を提供することにある。
【課題を解決するための手段】
【００１４】
上記課題を解決するための本発明の冷蔵庫は、貯蔵室を備えるインナーケースと、前記インナーケースの上面をカバーするミドルプレートとを含むキャビネットと、前記キャビネットの前方に備えられ、前記貯蔵室を開閉するドアと、を含み、前記キャビネットは、前記キャビネットの上面をカバーするように、前記ミドルプレートの上側に着脱可能に結合されるキャビネットカバーをさらに含む。
【００１５】
本発明で、前記キャビネットカバーの底面には、棒(bar)状の金属材質の補強ブラケットが並列に複数結合される。
前記キャビネットカバーの底面には、内側に凹む装着溝が形成され、前記補強ブラケットは、前記装着溝に挿入される。
前記装着溝の長さは、前記補強ブラケットの長さより長く形成される。
前記キャビネットカバーは、複数の原木を並列に配列した状態で接着した集成材から形成される。
前記補強ブラケットは、前記集成材の配列方向に並ぶように形成される。
前記補強ブラケットは、前記キャビネットカバーの底面と並ぶ面に前記補強ブラケットの長さ方向に並ぶように長孔が形成される。
前記キャビネットカバーは、底面に内側に凹状に形成されたスリット溝が並列に複数形成される。
前記スリット溝は、前記補強ブラケットと交差する方向に形成される。
前記キャビネットカバーの底面には、前記ミドルプレートに固定される複数のカバー固定部が形成される。
【００１６】
前記カバー固定部は、一側が前記キャビネットカバーの底面と接触し、他側が前記キャビネットカバーの下側に突出する円筒状の第１部分と、前記第１部分の他側に一体形成され、前記第１部分より大きい直径を有する円筒状の第２部分を含む。
前記キャビネットカバーの底面には、前記第１部分の一側が収容される凹溝が形成される。
前記カバー固定部は、前記カバー固定部とキャビネットカバーを貫通する取付部材によって前記キャビネットカバーに固定される。
前記ミドルプレートには、前記カバー固定部が固定されるカバー固定ホールが形成される。
【００１７】
前記カバー固定ホールは、前記カバー固定部の第２部分の大きさと同一またはよい大きく形成された第１ホールと、前記第１ホールから延長され、前記第２部分の大きさより小さく、前記第１部分の大きさと同一またはよい大きく形成された第２ホールとを含む。
【発明の効果】
【００１８】
提案される発明によれば、ウッド材質のキャビネットカバーがキャビネットの外観を形成するので、冷蔵庫の美感が向上する長所がある。
また、キャビネットカバーの交換が可能であるので、冷蔵庫の外観を多様なデザインで演出できる長所がある。
また、キャビネットの上面外観を形成するキャビネットカバーの収縮及び歪み等の変形を最大限予防できる長所がある。
また、必要に応じて冷蔵庫の上面外観を形成するキャビネットカバーをキャビネットから容易に分離し、交換できる長所がある。
また、キャビネットの上面外観を形成するキャビネットカバーの重量を減らし、使用者の便宜性を向上させることができる長所がある。
また、キャビネットの上面外観を形成するキャビネットカバーの厚さを最小限に減らすことができる長所がある。
また、キャビネットの上面外観を形成するキャビネットカバーの左右方向変形は勿論、前後方向の変形も予防できる長所がある。
また、キャビネットの上面外観を形成するキャビネットカバーの変形時、補強ブラケットの変形及び分離を予防できる長所がある。
【図面の簡単な説明】
【００１９】
【図１】本発明の一実施例に係る冷蔵庫の斜視図である。
【図２】図１においてドアが開かれた状態を示す斜視図である。
【図３】図１の冷蔵庫の平面図である。
【図４】本発明の一実施例に係るキャビネットの分解斜視図である。
【図５】キャビネットからキャビネットカバーが分離された状態を示した図面である。
【図６】キャビネットカバーが引っくり返った状態での斜視図である。
【図７】キャビネットカバーの底面図である。
【図８】図６のキャビネットカバーの分解斜視図である。
【図９】キャビネットカバーの縦断面図である。
【図１０】図９の一部領域を拡大した図面である。
【図１１】ミドルプレートの固定ホールにカバー固定部が結合された様子を示す斜視図である。
【発明を実施するための形態】
【００２０】
以下、図面を参照して、本発明の実施例を具体的に説明することにする。
図１は本発明の一実施例に係る冷蔵庫の斜視図であり、図２は図１においてドアが開かれた状態を示す斜視図であり、図３は図１の冷蔵庫の平面図である。
【００２１】
図１〜図３を参照すると、本発明の一実施例に係る冷蔵庫１は、貯蔵室１１１を備えるキャビネット１０と、前記キャビネット１０に連結され、前記貯蔵室１１１を開閉するドア２０を含むことができる。
【００２２】
前記キャビネット１０は、前記貯蔵室１１１を形成するインナーケース１１０と、前記インナーケース１１０を取囲むアウターケース１００を含むことができる。
【００２３】
前記アウターケース１００は、金属材質からなることができる。例えば、アウターケース１００は、アルミニウム(Al)材質を含むことができる。前記アウターケース１００は、少なくとも２回折り曲げられて形成される。または、前記アウターケース１００は、複数の金属プレートが接合されて形成されてもよい。
【００２４】
一例として、前記アウターケース１００は、一対のサイドパネル１０２、１０３を含むことができる。
前記インナーケース１１０は、前記一対のサイドパネル１０２、１０３の間に位置された状態で、前記アウターケース１００に直接または間接的に固定される。
前記一対のサイドパネル１０２、１０３の前端１０２ａは、前記インナーケース１１０の前面より前方に位置してもよい。
そして、前記ドア２０の左右幅は、前記一対のサイドパネル１０２、１０３の間の距離と同一またはより小さい。
よって、前記一対のサイドパネル１０２、１０３の間には、前記ドア２０が位置できる空間が形成される。
【００２５】
一例として、前記ドア２０が前記貯蔵室１１１を閉じた状態で、前記ドア２０は、前記一対のサイドパネル１０２、１０３の間に位置してもよい。
このとき、前記ドア２０が前記貯蔵室１１１を閉じた状態で、前記ドア２０と前記キャビネット１０の外観が一体感をなすように、前記ドア２０の前面は、前記各サイドパネル１０２、１０３の前端１０２ａと同一平面上に位置してもよい。
即ち、前記ドア２０の前面及び前記各サイドパネル１０２、１０３の前端１０２ａが前記冷蔵庫１の前面外観を形成することができる。
前記ドア２０は、一例として前記キャビネット１０にレールアセンブリー９０によって連結されてもよい。
【００２６】
よって、前記ドア２０は、前記キャビネット１０に連結された状態で、前後にスライディング(sliding)方式で移動しながら前記貯蔵室１１１を開閉することができる。
【００２７】
本発明によれば、前記冷蔵庫１を台所や居間、部屋等の狭い空間に配置しても、前記ドア２０がスライディング方式で貯蔵室１１１を開閉するので、周辺の構造物と干渉することなく前記ドア２０を開放できる長所がある。
前記レールアセンブリー９０は、一側が前記ドア２０に連結され、他側が前記インナーケース１１０に連結される。
前記ドア２０は、ウッド(wood)材質の前面パネル２１０と、前記前面パネル２１０の背面に結合されるドアライナー２３０を含むことができる。
【００２８】
前記前面パネル２１０と前記ドアライナー２３０は、一例としてスクリュー(screw)のような取付部材によって取り付けられてもよい。前記前面パネル２１０と前記ドアライナー２３０は発泡空間を形成し、前記発泡空間に発泡液が充填されることで、前記前面パネル２１０と前記ドアライナー２３０の間に断熱材が備えられてもよい。
前記ドア２０を開放するために使用者が前記ドア２０を掴めるように、前記ドア２０は、使用者の手が入れるハンドル用空間２９０を定義することができる。
前記ハンドル用空間２９０は、一例として前記ドアライナー２３０の上側一部が下方に凹むことで形成されてもよい。
【００２９】
前記ハンドル用空間２９０は、前記ドア２０が前記貯蔵室１１１を閉じた状態で、前記前面パネル２１０と前記キャビネット１０との間に位置してもよい。よって、使用者は、前記ドア２０が前記貯蔵室１１１を閉じた状態で、前記ハンドル用空間２９０に手を入れて前記ドア２０を引張って前記ドア２０を開放することができる。
本発明によれば、前記ドア２０が閉じられた状態で、ハンドルのような構造が外部に突出しないので、冷蔵庫１の美感が向上する長所がある。
【００３０】
前記冷蔵庫１の高さは、制限されるものでないが、一般的な成人の身長より低くてもよい。前記冷蔵庫１の容量が低いほど、前記冷蔵庫１の高さは低くなってもよい。
【００３１】
本発明のように、前記ドア２０の上側にハンドル用空間２９０が存在する場合、前記冷蔵庫１の高さが低くなっても、使用者が立っている状態または座っている状態で前記ドア２０を容易に開放できる長所がある。
一方、前記一対のサイドパネル１０２、１０３のそれぞれの上端部１０２ｂは、前記インナーケース１１０の上端部より高く位置することができる。
【００３２】
よって、前記インナーケース１１０の上側には空間が形成され、前記空間にはキャビネットカバー１９０が位置することができる。前記キャビネットカバー１９０は、前記キャビネット１０の上面外観を形成することができる。即ち、前記キャビネットカバー１９０は、冷蔵庫１の上面外観を形成する。
【００３３】
前記キャビネットカバー１９０は、前記インナーケース１１０に直接固定されてもよく、前記インナーケース１１０を取囲むミドルプレート１５０に固定されてもよい。
【００３４】
前記キャビネットカバー１９０が前記インナーケース１１０をカバーした状態で、前記キャビネットカバー１９０は、前記一対のサイドパネル１０２、１０３の間に位置することができる。
【００３５】
そして、前記キャビネットカバー１９０と前記キャビネット１０の外観が一体感をなすように、前記キャビネットカバー１９０の上面は、前記各サイドパネル１０２、１０３の上端部１０２ｂと同一平面または同一高さ上に位置することができる。
前記キャビネットカバー１９０は、一例としてウッド材質からなることができる。
【００３６】
本発明によれば、前記ドア２０の前面パネル２１０及び前記キャビネットカバー１９０がそれぞれウッド材質で形成されるので、前記ドア２０が閉じられた状態で、前記ドア２０と前記キャビネットカバー１９０の間に材質の統一性があり美感が向上する長所がある。
【００３７】
さらに、冷蔵庫の高さが低い場合には、使用者が前記キャビネットカバー１９０を肉眼で確認できるが、前記キャビネットカバー１９０がウッド材質で形成されることで、基本的な美感が向上するだけではなく、前記冷蔵庫１が位置される周辺の家具と一体感をなすことができる長所がある。
本発明の冷蔵庫１は、一例としてスモールサイドテーブル冷蔵庫として使用することができる。
【００３８】
スモールサイドテーブル冷蔵庫は、食べ物の貯蔵機能以外にも、スモールサイドテーブルの機能を兼ねることができる。所謂、台所に置かれる一般冷蔵庫とは違い、スモールサイドテーブル冷蔵庫は、寝室のベッドの隣に置いて使用することができる。本発明によれば、前記キャビネットカバー１９０及び前面パネル２１０がウッド材質で形成されるので、冷蔵庫１を寝室に置いても周辺の家具と調和をなすことができる。
【００３９】
使用者の便宜のために、スモールサイドテーブル冷蔵庫の高さは、一例としてベッドの高さに近いことが好ましく、一般冷蔵庫より高さが低くコンパクトに形成される。
【００４０】
前記キャビネットカバー１９０の前面１９０ａは、前記インナーケース１１０の前面より前方に位置してもよい。よって、前記ドア２０が前記貯蔵室１１１を閉じた状態で、前記キャビネットカバー１９０が前記ドアライナー２３０の一部を上側でカバーすることができる。
前記冷蔵庫１は、前記貯蔵室１１１に収容される１つ以上の引き出しアセンブリー３０、４０をさらに含むことができる。
収納空間の効率化のために、前記貯蔵室１１１に複数の引き出しアセンブリー３０、４０が備えられてもよい。
【００４１】
複数の引き出しアセンブリー３０、４０の一部は、前記貯蔵室１１１内に位置が固定された状態で存在してもよく、レールに連結されてレールによってスライディング可能に配置されてもよい。
または、複数の引き出しアセンブリー３０、４０の一部は、前記ドア２０に連結され、前記ドア２０と一緒にスライディング引入及び引出されてもよい。
【００４２】
または、複数の引き出しアセンブリー３０、４０の一部は、前記ドア２０の開放過程で、開放初期に前記ドア２０と一緒にスライディング引出され、所定距離引き出された位置で停止するように構成されてもよい。
以下、キャビネット１０の構造に対して詳細に説明することにする。
【００４３】
<キャビネットの構造>
図４は、本発明の一実施例に係るキャビネットの分解斜視図である。
【００４４】
図１〜図４を参照すると、本発明の一実施例に係るキャビネット１０は、アウターケース１００と、インナーケース１１０、及びキャビネットカバー１９０を含むことができる。
【００４５】
前記アウターケース１００は、一対のサイドパネル１０２、１０３を含むことができる。前記一対のサイドパネル１０２、１０３は、前記冷蔵庫１の側面外観を形成することができる。
前記アウターケース１００は、前記冷蔵庫１の背面外観を形成するリアパネル１６０をさらに含むことができる。
【００４６】
よって、前記ドア２０を除いた冷蔵庫１の外観は、前記サイドパネル１０２、１０３、キャビネットカバー１９０及び前記リアパネル１６０によって形成される。
【００４７】
前記キャビネット１０は、前記インナーケース１１０を支持するケースサポーター１３０と、前記ケースサポーター１３０の下側に結合されるベース１２０をさらに含むことができる。
【００４８】
前記キャビネット１０は、前記インナーケース１１０と一緒に発泡空間を形成するミドルプレート１５０をさらに含むことができる。前記ミドルプレート１５０は、前記インナーケース１１０と離隔した位置で、前記インナーケース１１０の上側及び後側をカバーすることができる。
前記キャビネット１０は、前記貯蔵室１１１を冷却するための冷却装置５０をさらに含むことができる。
以下、キャビネットカバー１９０の構造に対して詳細に説明することにする。
【００４９】
<キャビネットカバー>
図５はキャビネットからキャビネットカバーが分離された状態を示した図面であり、図６はキャビネットカバーが引っくり返った状態での斜視図であり、図７はキャビネットカバーの底面図であり、図８は図６のキャビネットカバーの分解斜視図である。
図５〜図８を参照すると、前記キャビネットカバー１９０の底面には、棒(bar)状の金属材質の補強ブラケット１９５が並列に複数結合される。
ここで、前記キャビネットカバー１９０の底面は、前記ミドルプレート１５０と対向する面を意味する。
【００５０】
上記のように棒状の金属材質の補強ブラケット１９５がキャビネットカバー１９０の底面に結合されると、キャビネットカバー１９０の収縮、歪み等の変形が予防される。
前記補強ブラケット１９５の断面は、多様な実施例が可能である。
一例として、前記補強ブラケット１９５は「コ」字状の断面を有することができる。
【００５１】
具体的に、前記補強ブラケット１９５は、前記キャビネットカバー１９０と並列に対向する水平部と、前記本体を基準に両側端部から、前記キャビネットカバー１９０の内側に向かって延長された垂直部を含むことができる。
前記水平部と垂直部は一体形成されてもよい。また、前記垂直部は、前記水平部の両側を垂直に折り曲げて形成されてもよい。
上記のように補強ブラケット１９５が「コ」字状に形成される場合、補強ブラケット１９５そのものの強度も向上される。
また、補強ブラケット１９５の強度も向上することで、補強ブラケット１９５によりキャビネットカバー１９０の収縮、歪み等の変形もより確実に防止される。
【００５２】
また、補強ブラケット１９５の垂直部(キャビネットカバーの内側に挿入される部分)の構成によって、キャビネットカバー１９０の幅方向(左右方向)だけではなく、前後方向の変形も予防される。
【００５３】
また、前記キャビネットカバー１９０の底面には、内側に凹む装着溝１９１ａ、１９１ｂが形成され、前記補強ブラケット１９５は、前記装着溝１９１ａ、１９１ｂに挿入される。
【００５４】
前記装着溝１９１ａ、１９１ｂは、前述した補強ブラケット１９５の水平部が安着する水平装着溝１９１ａと、前記補強ブラケット１９５の垂直部が安着する垂直装着溝１９１ｂを含む。
前記垂直装着溝１９１ｂは、前記水平装着溝１９１ａの両側で、垂直装着溝１９１ｂより深く形成される。
【００５５】
上記のような装着溝１９１ａ、１９１ｂの構成によって、補強ブラケット１９５はキャビネットカバー１９０の外部に突出することなく、キャビネットカバー１９０に挿入された状態を維持しやすくなる。
また、前記垂直装着溝１９１ｂに補強ブラケット１９５の垂直部が挿入されることで、補強ブラケット１９５とキャビネットカバー１９０の結合力が向上する。
また、キャビネットカバー１９０の前後方向(図８の点線方向)への変形も防止される。
また、前記装着溝１９１ａの長さは、前記補強ブラケット１９５の長さより長く形成される。
【００５６】
上記のように装着溝１９１ａの長さが補強ブラケット１９５の長さより長く形成されると、装着溝１９１ａの両側端部と前記補強ブラケット１９５の両側端部間には余裕空間が確保される。
【００５７】
よって、キャビネットカバー１９０の変形時、補強ブラケット１９５が移動する余裕ができ、補強ブラケット１９５の変形によって補強ブラケット１９５が変形したり、補強ブラケット１９５がキャビネットカバー１９０から分離する現象が防止される。
また、前記キャビネットカバー１９０は、複数の原木を並列に配列した状態で接着した集成材から形成される。
【００５８】
集成材には、原木の間に境界線(図８の点線参照)が形成される。前記境界線は、原木が接着された集成ラインを意味することができる。即ち、複数の原木は、上記のような境界線を基準に接着される。
このとき、前記補強ブラケット１９５は、前記集成材の配列方向に並ぶように形成される。
即ち、前記補強ブラケット１９５は、前記キャビネットカバー１９０を構成する集成材の境界線(図８の点線参照)と交差する方向に形成される。
集成材の特性上、原木が配列された方向(境界線と垂直する方向)に変形が大きく発生する。
反面、原木が配列された方向と垂直する方向(境界線方向)には変形が小さく発生する。
【００５９】
従って、補強ブラケット１９５が前記集成材の配列方向に並ぶようにキャビネットカバー１９０に固定される場合、キャビネットカバー１９０の強度を高め、キャビネットカバー１９０を構成する集成材の収縮、変形、歪み等を防止することができる。
【００６０】
また、前記補強ブラケット１９５は、前記キャビネットカバー１９０の底面と並ぶ面に前記補強ブラケット１９５の長さ方向に並ぶように複数の長孔１９５ａが一列に相互離隔して形成される。
前記長孔１９５ａは、前記補強ブラケット１９５の長さ方向にその長さが長く形成される。
【００６１】
キャビネットカバー１９０の底面に補強ブラケット１９５が装着された状態で、前記長孔１９５ａは、前記キャビネットカバー１９０の底面と並ぶように形成される。この状態で、長孔１９５ａとキャビネットカバー１９０をスクリュー等で取付けると、補強ブラケット１９５はキャビネットカバー１９０に固定される。
【００６２】
一方、時間の経過に伴って、集成材で構成されたキャビネットカバー１９０は変形が発生する可能性がある。具体的に、収縮、捩り等の現象が発生する可能性がある。
【００６３】
このとき、スクリューと補強ブラケット１９５の間に余裕空間が確保されないと、スクリューが変形したり、スクリューがキャビネットカバー１９０と補強ブラケット１９５から分離する問題が発生する。そして、キャビネットカバー１９０と補強ブラケット１９５が分離する問題が連続して発生する。
【００６４】
反面、本発明のように、補強ブラケット１９５に長孔１９５ａが形成されると、キャビネットカバー１９０は変形が発生しても、スクリューが長孔１９５ａに沿って動くことができる。従って、スクリューがキャビネットカバー１９０と補強ブラケット１９５から任意に分離することなく、キャビネットカバー１９０と補強ブラケット１９５に取付けられた状態を維持することができる。
【００６５】
即ち、補強ブラケット１９５に長孔１９５ａが形成されることで、キャビネットカバー１９０と補強ブラケット１９５を取付けるスクリューがキャビネットカバー１９０の収縮、歪みに対応することができる。
また、前記キャビネットカバー１９０は、底面に内側に凹状に形成されたスリット溝１９１ｅが並列に複数形成される。
【００６６】
前記スリット溝１９１ｅは、前記補強ブラケット１９５と交差する方向に形成される。一例として、前記スリット溝１９１ｅは、前記補強ブラケット１９５と直交することができる。
上記のようにスリット溝１９１ｅが形成されると、キャビネットカバー１９０の強度が向上する。
特に、キャビネットカバー１９０が集成材から形成された場合、前後方向と左右方向への収縮を防止することができる。
具体的に、図８を基準に、左右方向の収縮は補強ブラケット１９５によって防止され、前後方向の収縮は、前記スリット溝１９１ｅによって防止される。
【００６７】
結果的に、補強ブラケット１９５とスリット溝１９１ｅの構成によって、集成材から形成されたキャビネットカバー１９０の前後方向と左右方向の収縮、変形、歪み等が防止される。
前記スリット溝１９１ｅは、前記補強ブラケット１９５が挿入される装着溝１９１ａを貫通して形成される。
また、前記スリット溝１９１ｅは、キャビネットカバー１９０を構成する集成材の境界線(図８の点線参照)と重ならないように形成される。
従って、集成材の境界線(図８の点線参照)の厚さが薄くなり、集成材の強度が弱くなる現象を防止することができる。
また、上記のようにスリット溝１９１ｅが形成され、キャビネットカバー１９０の重さが減り、キャビネットカバー１９０の着脱が容易になる。
そして、キャビネットカバー１９０が装着された冷蔵庫の重さが減り、冷蔵庫をより容易に移動することができる。
【００６８】
<キャビネットカバーの装着構造>
以下、前記キャビネットカバー１９０とミドルプレート１５０の装着構造に対して説明する。
【００６９】
図９はキャビネットカバーの縦断面図であり、図１０は図９の一部領域を拡大した図面であり、図１１はミドルプレートの固定ホールにカバー固定部が結合された様子を示す斜視図である。
図９〜図１１を参照すると、前記キャビネットカバー１９０は、前記ミドルプレート１５０の上側に着脱可能に結合される。
このために、前記キャビネットカバー１９０の底面には、前記ミドルプレート１５０に固定される複数のカバー固定部１９２が形成される。
【００７０】
前記キャビネットカバー１９０を前記ミドルプレート１５０に堅固に固定するために、複数のカバー固定部１９２が前記キャビネットカバー１９０に備えられる。
前記複数のカバー固定部１９２は、前記キャビネットカバー１９０の左右方向に離隔して配列されるだけではなく、前後方向に離隔して配列される。
【００７１】
前記カバー固定部１９２は、前記カバー固定部１９２とキャビネットカバー１９０を貫通する取付部材１９７によって、前記キャビネットカバー１９０に固定される。
このとき、前記キャビネットカバー１９０には、前記取付部材１９７が挿入される取付溝１９１ｄが形成される。
一例として、前記各カバー固定部１９２は、前記ミドルプレート１５０の下面にスクリューによって固定される。
【００７２】
前記カバー固定部１９２は、一側が前記キャビネットカバー１９０の底面と接触し、他側が前記キャビネットカバー１９０の下側に突出する円筒状の第１部分１９３と、前記第１部分１９３の他側に一体形成され、前記第１部分１９３より大きい直径を有する円筒状の第２部分１９４とを含むことができる。
【００７３】
前記キャビネットカバー１９０と前記第２部分１９４の間に前記第１部分１９３が位置し、前記第１部分１９３は、前記キャビネットカバー１９０の下面に接触する。
【００７４】
また、前記キャビネットカバー１９０の底面には、前記第１部分１９３の一側が収容される凹溝１９１ｃが形成される。従って、カバー固定部１９２はキャビネットカバー１９０によって安定的に固定される。
【００７５】
一方、前記ミドルプレート１５０には、前記カバー固定部１９２が固定されるためのカバー固定ホール１５６が備えられる。前記カバー固定ホール１５６は、一例としてアッパープレート１５４に備えられる。
【００７６】
前記カバー固定ホール１５６は、前記カバー固定部１９２の第２部分１９４の大きさと同一またはより大きい第１ホール１５６ａと、前記第１ホール１５６ａから延長され前記第１ホール１５６ａより小さく形成される第２ホール１５６ｂを含むことができる。
【００７７】
前記第２ホール１５６ｂは、前記カバー固定部１９２の第２部分１９４より小さく形成される。また、前記第２ホール１５６ｂは、前記カバー固定部１９２の第１部分１９３の大きさと同一またはより大きくてもよい。
【００７８】
前記カバー固定部１９２を前記ミドルプレート１５０に固定させるために、前記カバー固定部１９２の第２部分１９４と前記カバー固定ホール１５６の第１ホール１５６ａと整列させる。次に、前記カバー固定部１９２の第２部分１９４が前記カバー固定ホール１５６の第１ホール１５６ａを貫通するようにする。
【００７９】
前記カバー固定部１９２の第２部分１９４が前記カバー固定ホール１５６の第１ホール１５６ａを貫通した状態で、前記カバー固定部１９２の第１部分１９３は、前記第１ホール１５６ａ内に位置し、前記キャビネットカバー１９０は、前記アッパープレート１５４に安着する。
【００８０】
この状態で、前記カバー固定部１９２の第１部分１９３が前記カバー固定ホール１５６の第２ホール１５６ｂに位置するように、前記キャビネットカバー１９０を水平方向に移動させる。一例として、前記キャビネットカバー１９０を前方にスライド方式で移動させることができる。
【００８１】
前記カバー固定部１９２の第１部分１９３が前記カバー固定ホール１５６の第２ホール１５６ｂに位置されると、前記第２部分１９４は、前記アッパープレート１５４の下面に接触する。
よって、前記キャビネットカバー１９０を前方に押さない限り、前記キャビネットカバー１９０が前記ミドルプレート１５０から分離されることが防止される。
【００８２】
本発明で、前記キャビネットカバー１９０がスライディング方式で前記ミドルプレート１５０に結合されるので、前記キャビネットカバー１９０を前記ミドルプレート１５０に容易に結合させることができ、容易に前記ミドルプレート１５０から分離することができる。
【００８３】
本発明で、前記キャビネットカバー１９０が前記ミドルプレート１５０に結合される前に、前記カバー固定ホール１９６を別途の固定ホールカバーで塞いだ状態で、前記発泡空間１５９に発泡液を注入することができる。
【００８４】
発泡が完了し、前記固定ホールカバーを分離した後、前記キャビネットカバー１９０を前記ミドルプレート１５０に結合させることができる。従って、本発明によれば、前記キャビネットカバー１９０の交換が可能な長所がある。即ち、使用者が求めるデザインや色のキャビネットカバー１９０を前記ミドルプレート１５０に結合できるので、前記冷蔵庫１の外観デザインが多様化する長所がある。
【図１】
0006956271.tif 000002
【図２】
0006956271.tif 000003
【図３】
0006956271.tif 000004
【図４】
0006956271.tif 000005
【図５】
0006956271.tif 000006
【図６】
0006956271.tif 000007
【図７】
0006956271.tif 000008
【図８】
0006956271.tif 000009
【図９】
0006956271.tif 000010
【図１０】
0006956271.tif 000011
【図１１】
0006956271.tif 000012